(57)【要約】      （修正有）【課題】短手方向と長手方向に連接することができ、少ない種類で様々な大きさの屋根を葺くことができる屋根材を提供する。【解決手段】屋根材１Ａは、長尺状の本体１ａと、本体の長手方向に沿って、一方の側端に形成された雄部を構成する頭部を有する第１の嵌合部２ａと、第１の嵌合部の側端縁に配置された取付部３ａと、本体の長手方向に沿って、他方の側端に形成された雌部を構成する受け入れ溝部を有する第２の嵌合部４ａと、本体の短手方向に沿って、少なくとも一方の端部に形成された折り畳み部５ａとを備える。折り畳み部は、第１の嵌合部と第２の嵌合部との間に形成され、隣接配置される屋根材における折り畳み部と接合される。屋根材は第１、第２の嵌合部により短手方向に連接され、折り畳み部により長手方向に連接される。【選択図】図２
0003222317.tif 000002
【実用新案登録請求の範囲】
【請求項１】
長尺状の本体と、
前記本体の長手方向に沿って、一方の側端に形成された第１の嵌合部と、
前記第１の嵌合部の側端縁に配置された取付部と、
前記本体の長手方向に沿って、他方の側端に形成された第２の嵌合部と、
前記本体の短手方向に沿って、少なくとも一方の端部に形成された折り畳み部とを具備し、
前記折り畳み部は、前記第１の嵌合部と前記第２の嵌合部との間に形成され、隣接配置される屋根材における折り畳み部と接合される、ことを特徴とする屋根材。
【請求項２】
接合される前記折り畳み部の一方は、前記屋根材の設置面側に折曲され、接合される前記折り畳み部の他方は、前記屋根材の設置面と反対側に折曲された第１の折曲部と、前記第１の折曲部上に接合される前記屋根材に端部が向かって折曲される第２の折曲部とを有し、
前記折り畳み部の一方が、前記第１の折曲部と前記第２の折曲部とで前記折り畳み部の他方に形成される間隙部に差し込まれて、長手方向に隣接する屋根材が接合される、ことを特徴とする請求項１に記載の屋根材。
【請求項３】
前記第１の嵌合部は、雄部を構成する頭部を有し、前記第２の嵌合部は、雌部を構成する受け入れ溝部を有する、ことを特徴とする請求項１又は２に記載の屋根材。
【請求項４】
隣接配置される屋根材の第２の嵌合部の前記溝部を、隣接する屋根材の第１の嵌合部の頭部に押し込むことで広げて嵌合させる、ことを特徴とする請求項３に記載の屋根材。
【請求項５】
前記第２の嵌合部の前記溝部と、前記第１の嵌合部の頭部との間に介在される止水材を更に備える、ことを特徴とする請求項４に記載の屋根材。
【請求項６】
前記第１の嵌合部と前記第２の嵌合部との間の距離である働き幅は、垂木の間隔を整数倍して当該働き幅で割ったときに、商が整数となる値である、ことを特徴とする請求項１乃至５いずれか一つの項に記載の屋根材。
【請求項７】
前記働き幅は、３６４ｍｍであることを特徴とする請求項６に記載の屋根材。
【考案の詳細な説明】
【技術分野】
【０００１】
本考案は、長尺状の複数の金属製屋根材を短手方向と長手方向に連接し、屋根を葺く屋根材に関するものである。
【背景技術】
【０００２】
従来、例えば、特許文献１には、嵌合式の屋根板材を用いて屋根を葺く技術が開示されている。この特許文献１では、隣り合う一方の屋根板材の嵌め合い雄部を構成する頭部が、他方の屋根板材の嵌め合い雌部を構成する受け入れ溝部内に入り込むように重ね載せ、受け入れ溝部の溝口を撓み広げ、受け入れ溝部の内奥側に当該頭部を入り込ませて掛合させて連接している。
【０００３】
そして、撓み広げられた受け入れ溝部の溝口が戻ることで、頭部の顎部と受け入れ溝部の段部とが掛合して、隣り合う屋根板材相互をワンタッチで連接できるようになっている。また、この屋根板材相互の掛合部が毛細管現象を防ぐことで、雨水の浸入を阻止して防水性を高めている。
【先行技術文献】
【特許文献】
【０００４】
【特許文献１】特開平１１−２１０１７７号公報
【考案の概要】
【考案が解決しようとする課題】
【０００５】
ところで、上述した特許文献１に記載されている屋根板材は、短手方向に順次連接することで幅が広い屋根を葺くことができる。
【０００６】
しかしながら、長手方向には連接できないため、屋根板材の施工長さ（働き長さ）が制限される。このため、様々な大きさの屋根を葺くには、働き長さの異なる多数種類の屋根板材を用意しなければならない、という課題がある。
【０００７】
そこで、本考案は如上のような従来存した諸事情に鑑み創出されたもので、短手方向と長手方向に連接することができ、少ない種類で様々な大きさの屋根を葺くことができる屋根材を提供することを目的とする。
【課題を解決するための手段】
【０００８】
本考案に係る請求項１の考案は、長尺状の本体と、前記本体の長手方向に沿って、一方の側端に形成された第１の嵌合部と、前記第１の嵌合部の側端縁に配置された取付部と、前記本体の長手方向に沿って、他方の側端に形成された第２の嵌合部と、前記本体の短手方向に沿って、少なくとも一方の端部に形成された折り畳み部とを具備し、前記折り畳み部は、前記第１の嵌合部と前記第２の嵌合部との間に形成され、隣接配置される屋根材における折り畳み部と接合されることで、上述した課題を解決した。
【０００９】
この請求項１に係る屋根材によれば、第１の嵌合部と第２の嵌合部を用いて屋根材を短手方向に連接し、折り畳み部を用いて屋根材を長手方向に連接できるので、少ない種類で様々な大きさの屋根を葺くことができる。
【００１０】
また、本考案に係る請求項２の考案は、接合される前記折り畳み部の一方は、前記屋根材の設置面側に折曲され、接合される前記折り畳み部の他方は、前記屋根材の設置面と反対側に折曲された第１の折曲部と、前記第１の折曲部上に接合される前記屋根材に端部が向かって折曲される第２の折曲部とを有し、前記折り畳み部の一方が、前記第１の折曲部と前記第２の折曲部とで前記折り畳み部の他方に形成される間隙部に差し込まれて、長手方向に隣接する屋根材が接合されることで、同じく、上述した課題を解決した。
【００１１】
この請求項２に係る屋根材によれば、屋根材の折り畳み部の一方を、隣接する屋根材の折り畳み部の他方に形成される間隙部に差し込むことで、長手方向に隣接する屋根材を接合して施工長さ（働き長さ）を延長できる。
【００１２】
また、本考案に係る請求項３の考案は、前記第１の嵌合部は、雄部を構成する頭部を有し、前記第２の嵌合部は、雌部を構成する受け入れ溝部を有することで、同じく、上述した課題を解決した。
【００１３】
この請求項３に係る屋根材によれば、隣り合う屋根板材相互を重ね載せて踏み込むことで、ワンタッチで連接させることができる。
【００１４】
更に、本考案に係る請求項４の考案は、隣接配置される屋根材の第２の嵌合部の前記溝部を、隣接する屋根材の第１の嵌合部の頭部に押し込むことで広げて嵌合させることで、同じく、上述した課題を解決した。
【００１５】
この請求項４に係る屋根材によれば、嵌合部で毛細管現象を防ぐことができ、防水性を向上させることができる。
【００１６】
また、本考案に係る請求項５の考案は、前記第２の嵌合部の前記溝部と、前記第１の嵌合部の頭部との間に介在される止水材を更に備えることで、同じく、上述した課題を解決した。
【００１７】
この請求項５に係る屋根材によれば、止水材を介在させることで防水性を更に向上させることができる。
【００１８】
更に、本考案に係る請求項６の考案は、前記第１の嵌合部と前記第２の嵌合部との間の距離である働き幅は、垂木の間隔を整数倍して当該働き幅で割ったときに、商が整数となる値であることで、同じく、上述した課題を解決した。
【００１９】
この請求項６に係る屋根材によれば、働き幅を、垂木の間隔を整数倍して当該働き幅で割ったときに、商が整数となる値にしたので、所定の枚数連接するごとに取付ビスや釘を垂木に打つことができるので、設置強度を向上できる。しかも、本体を湾曲させたことで、施工によって平らになった本体が温度差による伸縮で湾曲する方向に働くので、歪みによって部分的に屋根が盛り上がるのを抑制できる。
【００２０】
また、本考案に係る請求項７の考案は、前記働き幅は、３６４ｍｍであることで、同じく、上述した課題を解決した。
【００２１】
この請求項７に係る屋根材によれば、垂木が１尺５寸（４５５ｍｍ）の幅で配置されると、５枚の屋根材毎に垂木に取付ビスや釘を打つことができる。
【考案の効果】
【００２２】
本考案に係る屋根材によれば、短手方向と長手方向に連接することができるので、少ない種類で様々な大きさの屋根を葺くことができる。
【図面の簡単な説明】
【００２３】
【図１】本考案の実施形態に係る屋根材の斜視図である。
【図２】図１に示した屋根材の平面図、正面図及び側面図である。
【図３】図２におけるＡ−Ａ部分の拡大図である。
【図４】図２におけるＤ−Ｄ部分の拡大斜視図である。
【図５】図１に示した屋根材に長手方向に沿って連接される屋根材の斜視図である。
【図６】図５に示した屋根材の平面図、正面図及び側面図である。
【図７】図６におけるＢ−Ｂ部分の拡大図である。
【図８】図６におけるＣ−Ｃ部分の拡大図である。
【図９】図６におけるＥ−Ｅ部分の拡大斜視図である。
【図１０】本考案の実施形態に係る屋根材を長手方向に連接するときの接合前の状態を示す平面図である。
【図１１】図１０における接合部近傍の拡大斜視図である。
【図１２】本考案の実施形態に係る屋根材を長手方向に連接したときの接合部の平面図である。
【図１３】図１２の正面図である。
【図１４】本考案の実施形態に係る屋根材を短手方向に連接する方法について説明するための正面図である。
【図１５】図１４における嵌合部の嵌合前と嵌合後の拡大断面図である。
【図１６】図１及び図５に示した屋根材を短手方向と長手方向に連接した状態を示す斜視図である。
【図１７】本考案の別の実施形態に係る屋根材を長手方向に連接する方法について説明するための接合部の平面図である。
【考案を実施するための形態】
【００２４】
以下に、図面を参照して、本考案の一実施形態について説明する。
【００２５】
図１及び図２に示すように、本考案に係る屋根材（金属製）１Ａの本体１ａは、長尺状になっている。この本体１ａの長手方向に沿って一方の側端に第１の嵌合部２ａが形成され、当該第１の嵌合部２ａの側端縁に取付部３ａが配置されている。本体１ａの長手方向に沿う他方の側端には、第２の嵌合部４ａが形成されている。
【００２６】
また、本体１ａの短手方向に沿って、一方の端部に折り畳み部５ａが形成されている。この折り畳み部５ａは、第１の嵌合部２ａと第２の嵌合部４ａとの間に形成され、図３に拡大して示すように、下ハゼ部が差し込み折りになっている。すなわち、折り畳み部５ａは、第１の嵌合部２ａと第２の嵌合部４ａとの間の本体１ａが、所定の幅だけ屋根材１Ａの設置面側に折曲された構成になっている。更に、図４に拡大して示すように、屋根材１Ａの本体１ａの端部は、第２の嵌合部４ａ（第１の嵌合部２ａも同様）の端部と一致している。
【００２７】
第１の嵌合部２ａは、雄部を構成する頭部を有し、第２の嵌合部４ａは、雌部を構成する受け入れ溝部を有する。ここで、第１の嵌合部２ａと第２の嵌合部４ａとの間の距離である働き幅ΔＬａは、例えば、垂木の間隔を整数倍して働き幅ΔＬａで割ったときに、商が整数となる値であり、本例では３６４ｍｍである。
【００２８】
図５及び図６はそれぞれ、上記図１及び図２に示した屋根材１Ａに長手方向に沿って連接される屋根材１Ｂを示している。屋根材１Ａと同様に、屋根材（金属製）１Ｂの本体１ｂも長尺状になっている。この本体１ｂの長手方向に沿って一方の側端に第１の嵌合部２ｂが形成され、当該第１の嵌合部２ｂの側端縁に取付部３ｂが配置されている。本体１ｂの長手方向に沿う他方の側端には、第２の嵌合部４ｂが形成されている。
【００２９】
また、本体１ｂの短手方向に沿って、屋根材１Ａの折り畳み部５ａに対応する他方の端部に折り畳み部５ｂが形成されている。折り畳み部５ｂは、第１の嵌合部２ｂと第２の嵌合部４ｂとの間に形成され、隣接配置される屋根材１Ａにおける折り畳み部５ａと接合される。この折り畳み部５ｂには、図７乃至図９に示すように、いわゆるアヤメ折り部が形成されており、屋根材１Ｂの設置面と反対側に折曲された第１の折曲部５ｂ１と、第１の折曲部５ｂ１と逆方向に折曲された第２の折曲部５ｂ２とを有する。この屋根材１Ｂの端部は、第１、第２の折曲部５ｂ１，５ｂ２の端部より長手方向に突出しており、所定の幅だけ屋根材１Ｂの設置面と反対側に折曲された第３の折曲部５ｂ３が形成されている。
【００３０】
更に、屋根材１Ｂの第１、第２の嵌合部２ｂ，４ｂは、屋根材１Ａの第１、第２の嵌合部２ａ，４ａと同様に形成されており、第１の嵌合部２ｂは雄部を構成する頭部を有し、第２の嵌合部４ｂは雌部を構成する受け入れ溝部を有する。ここで、第１の嵌合部２ｂと第２の嵌合部４ｂとの間の距離である働き幅ΔＬｂは、例えば、垂木の間隔を整数倍して働き幅ΔＬｂで割ったときに商が整数となる値になっており、本例では「ΔＬａ＝ΔＬｂ」で３６４ｍｍである。
【００３１】
そして、図１０及び図１１に示すように、屋根材１Ａにおける折り畳み部５ａと、隣接配置される屋根材１Ｂの折り畳み部５ａが対向して配置され、矢印１００で示すように、折り畳み部５ａの差し込み折り部が、第１の折曲部５ｂ１と第２の折曲部５ｂ２とで折り畳み部５ｂに形成される間隙部５ｂ４に差し込まれて接合され、図１２及び図１３に示すように長手方向に隣接する屋根材１Ａと屋根材１Ｂが連接される。
【００３２】
次に、上述したように長手方向に連接した屋根材１Ａ，１Ｂの短手方向の連接方法について、図１４及び図１５により説明する。
【００３３】
図１４（ａ）に示すように、まず屋根材１−１（屋根材１Ａ，１Ｂを連接したもの）の一方の側端の取付部３−１（３ａ，３ｂ）を、取付ビスや釘でコンパネなどの野地板に打ち付け、隣接する屋根材１−２（同様に屋根材１Ａ，１Ｂを連接したもの）を位置合わせして、屋根材１−２の一方の側端の取付部３−２（３ａ，３ｂ）を、取付ビスや釘でコンパネなどの野地板に打ち付ける。
【００３４】
続いて、屋根材１−１の第２の嵌合部４−１（４ａ，４ｂ）の溝部を、屋根材１−２の第１の嵌合部２−２の頭部に重ね載せて踏みつけ、図１４（ｂ）に示すように嵌合させて連接する。そして、同様な手順で順次屋根材を連結して取り付けることで屋根を葺く。
【００３５】
図１５（ａ），（ｂ）はそれぞれ、図１４（ａ），（ｂ）における嵌合部の拡大図であり、嵌合前と嵌合後の状態を示している。
【００３６】
図１５（ａ）に示すように、屋根材１−１の第２の嵌合部４−１は、雌部を構成する受け入れ溝部を形成するように、断面が台形状になっている。また、屋根材１−２の第１の嵌合部２−２は、雄部を構成する頭部を形成するように、断面が溝部に対応する台形状になっている。
【００３７】
第２の嵌合部４−１に隣接して段差構造１０ａが形成されており、取付ビス５や釘を打つ面上を覆うようになっている。また、第１の嵌合部２−２に隣接して水切構造１１ａが形成されており、雨水などの浸入を防ぐようになっている。更に、嵌合部における頭部と溝部の間に、止水材６が介在されて防水性を高めている。この止水材６としては、例えば、ホットメルトと呼ばれる高弾性合成ゴムを用いることができる。
【００３８】
屋根材１−１の第２の嵌合部４−１の縁部１０ｄは、内側に折り曲げられて強度が高められている。また、屋根材１−２の縁部１１ｄは内側に折り曲げられて強度が高められており、長手方向の側縁部に沿って取付ビス５や釘で、防水下地７を介して野地板８に打ち付けられる。防水下地７としてはアスファルトルーフィングなどを用いることができ、野地板８としてはコンパネなどを用いることができる。
【００３９】
そして、屋根材１−１の第２の嵌合部４−１の溝部を、隣接する屋根材１−２の第１の嵌合部２−２の頭部に押し込むことで広げて嵌合させることで、図１５（ｂ）に示すように、上記受け入れ溝部における台形の底辺に形成される角部１０ｂ，１０ｃと、頭部における台形の底辺に形成される角部１１ｂ，１１ｃとが係止される。これによって、嵌合部における毛細管現象を防ぐことができ、雨水の浸入を阻止して防水性を高めることができる。
【００４０】
上述したような構成の屋根材を用いて屋根を葺く際には、働き幅ΔＬ（ΔＬａ，ΔＬｂ）が垂木の配置幅（１尺５寸＝４５５ｍｍ）を整数倍（例えば４倍）して当該働き幅ΔＬで割ったときに、商が整数となる値（４５５ｍｍ×４÷３６４ｍｍ＝５）であるので、５枚の屋根材毎に垂木に取付ビスや釘を打つことができる。
【００４１】
また、１尺毎に垂木を配置した場合には、全ての垂木に釘を打つことができるため、屋根材の設置強度をより一層向上させることができ、葺いた屋根そのものの強度の向上も図れる。
【００４２】
従って、本考案によれば、屋根材を長手方向に配置して折り畳み部を連接するとともに、短手方向に配置して第２の嵌合部と第１の嵌合部とを順次嵌合させて連接することで、図１６に示すように、大きな屋根を葺くことができる。また、屋根材を短手方向と長手方向に連接することができるので、少ない種類で様々な大きさの屋根を葺くことができる。
【００４３】
尚、本考案は上述した実施形態に限定されるものではなく、要旨を逸脱しない範囲で種々変形して実施することが可能である。
【００４４】
［変形例１］
例えば、上述した実施形態では、屋根材の本体の短手方向に沿って、一方の端部に折り畳み部が形成されている例を説明したが、本体の短手方向に沿って両端部に図１及び図５に示したような折り畳み部を設けることで、３枚以上の屋根材を長手方向に連接できる。
【００４５】
［変形例２］
また、屋根材を長手方向に連接した後、短手方向に連接する場合を例に取って説明したが、屋根材を短手方向に連接した後、屋根材を長手方向に連接することもできる。
【００４６】
［変形例３］
更に、図１７に実線で示すように、屋根材の本体が平面の長尺状の場合を例に取って説明したが、二点鎖線で示すように、屋根材の本体を、設置面側に突出する湾曲した長尺状に形成し、短手方向に所定のアールを設けても良い。
【００４７】
本体が湾曲した屋根材で屋根を葺く場合には、まず屋根材の一方の側端の取付部を、取付ビスや釘でコンパネなどの野地板に打ち付け、他方の側端を野地板側に押し付けつつ湾曲を戻す。次に、隣接する屋根材を位置合わせして、この屋根材の一方の側端の取付部を、取付ビスや釘でコンパネなどの野地板に打ち付ける。続いて、屋根材の第２の嵌合部の溝部を、屋根材の第１の嵌合部の頭部に重ね載せて踏みつけて嵌合させて連接する。
【００４８】
このように、本体を湾曲させることで、施工によって平らになった本体が温度差による伸縮で湾曲する方向に働くので、歪みによって部分的に屋根が盛り上がるのを抑制できる。
【００４９】
［変形例４］
加えて、第１、第２の嵌合部や折り畳み部の構造は一例を挙げたものであり、上述した断面形状に限られるものではなく、隣接する屋根材を嵌合できれば他の様々な構成を適用できる。
【００５０】
［変形例５］
また、働き幅ΔＬが３６４ｍｍの場合を例に取って説明したが、垂木の間隔を整数倍して当該働き幅ΔＬで割ったときに、商が整数となる値であれば良い。更に、働き幅が３６４ｍｍから若干ずれても、垂木には幅があるので誤差を吸収できる。
【産業上の利用可能性】
【００５１】
本考案は、複数の金属製屋根材を短手方向と長手方向に連接できるので、少ない種類で様々な大きさの屋根を葺くことができ、屋根を葺く建築資材として有用である。
【符号の説明】
【００５２】
１Ａ，１Ｂ，１−１，１−２…屋根材
１ａ，１ｂ…本体
２ａ，２ｂ，２−１，２−２，２−３…第１の嵌合部
３ａ，３ｂ…取付部
４ａ，４ｂ，４−１，４−２，４−３…第２の嵌合部
５…取付ビス
６…止水材
７…防水下地
８…野地板
１０ａ…段差構造
１１ａ…水切構造
１０ｂ，１０ｃ，１１ｂ，１１ｃ…角部
１０ｄ，１１ｄ…縁部
ΔＬ，ΔＬａ，ΔＬｂ…働き幅
【図１】
0003222317.tif 000003
【図２】
0003222317.tif 000004
【図３】
0003222317.tif 000005
【図４】
0003222317.tif 000006
【図５】
0003222317.tif 000007
【図６】
0003222317.tif 000008
【図７】
0003222317.tif 000009
【図８】
0003222317.tif 000010
【図９】
0003222317.tif 000011
【図１０】
0003222317.tif 000012
【図１１】
0003222317.tif 000013
【図１２】
0003222317.tif 000014
【図１３】
0003222317.tif 000015
【図１４】
0003222317.tif 000016
【図１５】
0003222317.tif 000017
【図１６】
0003222317.tif 000018
【図１７】
0003222317.tif 000019